(57)【要約】【課題】自動販売機の利便性と、緊急通報システムを組み合わせて、自動販売機が設置されている場所から犯罪や火事の緊急通報を迅速に行うこと。【解決手段】自動販売機１０の本体表面に設けた警察１１や消防２１へ通報するための通報ボタン２１，２２と、警察や消防と会話ができるスピーカー３１，３２を備え、本体内部には上記通報ボタンを作動することによりこの通報を警察や消防へ直接送信できる通信手段５０と、さらにこの自動販売機１０からの通報を受信できる警察等に備えた通信手段からなる。【選択図】　　　　　　図１
2004094538.tif 000002
【特許請求の範囲】
【請求項１】
本体表面に警察等へ通報するための通報手段と警察等と会話するための会話手段を備え、本体内部には上記通報手段を作動することにより上記通報内容を警察等に対して直接送受信できる通信手段を備えた自動販売機。
【請求項２】
自動販売機の本体表面に設けた、警察等へ通報するための通報手段及び警察等と会話をするための会話手段と、本体内部に設けた上記通報内容を警察等に対して直接送受信できる通信手段と、
警察等に備えた、上記自動販売機の通信手段からの通報内容を受信し、かつ上記通信手段に対して送信できる通信手段からなる緊急通報システム。
【発明の詳細な説明】
【０００１】
【発明の属する技術分野】
本発明は、自動販売機に取り付けた通信手段を用いて警察や消防（警察等という）へ緊急連絡できる緊急連絡システムとそれに使用する自動販売機に関する。
【０００２】
【従来の技術】
清涼飲料等の自動販売機は、金銭を投入して購入希望商品のボタンを押すことにより商品が内部より出てくる仕組みになっている。これらの自動販売機には盗難防止用のブザーはあるがその他の防犯用の装置は組み込まれていない。
一方、公衆電話の電話機には、通常のダイヤルやボタンと別に、警察への１１０番と消防への１１９番へ無料で連絡できるの緊急連絡用のボタンが備えられていた。これによって、事件や事故を目撃した場合などには、ワンタッチで迅速正確に通報ができたのである。
【０００３】
【発明が解決しようとする課題】
しかし、最近では携帯電話の普及に伴って、街角に設置されていた公衆電話または公衆電話ボックス（以下公衆電話という）が撤去されている。
一方、最近では犯罪件数の増加と共に、その検挙率・逮捕率が下がってきており、凶悪犯人が逮捕されなかったり外国人犯罪の増加など、社会的にも大変な影響が出ている。このような状況は、多分に公衆電話の減少による早期通報の遅れが原因となっている場合が多いと考えられる。
【０００４】
本発明はこのような状況に鑑みてなされたもので、全国の至るところに設置されてて、日ごろから住民に重宝され日常生活に溶け込んでいて、かつ２４時間稼動可能な自動販売機の利便性と、緊急通報システムを組み合わせたものである。そして、自動販売機が設置されている場所から犯罪や火事の緊急通報を迅速に行い、従来の公衆電話以上の緊急通報システムを可能とし、検挙率向上と犯罪者への心理的重圧による犯罪への抑制、あるいは火事の初期通報を行うことを目的とする。
【０００５】
【課題を解決するための手段】
本発明の要旨とするところは、本体表面に警察や消防へ通報するための通報手段と警察や消防と会話するための会話手段を備え、本体内部には上記通報手段を作動することにより、上記通報手段の作動を警察や消防に対して直接送信し、かつ警察や消防と会話を直接行える機能を有する通信手段を備えた自動販売機である。
また、本発明の要旨とするところは、自動販売機の本体表面に設けた、警察や消防へ通報するための通報手段及び警察や消防と会話をするための会話手段と、本体内部に設けた上記通報手段の作動を警察や消防に対して直接送信し、かつ警察や消防と会話を直接行える機能を有する通信手段と、
警察や消防に備えた、上記自動販売機の通信手段からの通報手段の作動や会話内容を受信し、かつ上記自動販売機の通信手段に対して会話内容を送信できる通信手段からなる緊急通報システムである。
【０００６】
【発明の実施の形態】
本発明の一実施形態を図面に基づいて説明する。図１は本発明の一実施形態を示す自動販売機の正面図及び図２は緊急通報システムを説明するブロック図である。
【０００７】
自動販売機１０本体の正面パネル２０に、２個の通報ボタン２１，２２を取付け、それぞれ１１０番（警察）と１１９番（消防）の通報手段とする。この通報ボタン２１，２２は、誰でも緊急通報ができるようにするため、子供、車椅子利用者などが届く位置に設ける。
この通報ボタン２１，２２の近くに、それぞれ会話手段であるスピーカー３１，３２を配置する。このスピーカー３１，３２は、通報ボタン２１，２２を押すことにより、それぞれ警察と消防と双方向に会話ができ、緊急事態の内容を知らせることができる。
また、この通報ボタン２１，２２のどちらか一方を押せば、警察と消防の両方へ同時に通報及び会話ができるシステムも採用できる。
【０００８】
また、自動販売機１０本体の内部には、コンピュータと携帯電話機を利用した通信手段５０が内蔵されている。この通信手段５０によって上記警察と消防に、直接に緊急通報の内容を送信するのである。
もちろん、警察１１と消防１２にも、上記通信手段５０からの送信を受信できる通信手段５１，５２を備えている。さらにこの通信手段５１，５２は上記通信手段５０に対して送信することが可能である。
【０００９】
上記自動販売機１０本体の上部には看板４０を設け、さらにその上に２個のパテライト５３，５４を設けて、当該自動販売機が緊急通報システムであることが分かるように明確にしておく。
また、符号２３は、緊急通報システムの使用方法の説明書である。さらには、通報ボタン２１，２２のいたずら防止のための装置も備えることもできる。
【００１０】
上記のように構成した自動販売機１０を利用した緊急通報システムは、緊急時に通行人等が通報ボタン２１を押して警察１１に連絡する。そのときこの通報ボタン２１を押すことで直接に警察もしくは警察センターに繋がり、かつ必要に応じてスピーカ３１によって警察１１と会話をすることができるため、こちらの状況を詳しく伝えることが可能である。
上記の緊急通報システムの中にカーナビシステムを組込んでおけば、警察１１では通報を受けた段階で自動販売機１０の設置場所がわかる。また、通報ボタン２１を押すと同時にパテライト５３，５４を点滅させる構成とすれば、より人目を引くため警報効果が増すのである。
また、このシステムに必要な電源は、自動販売機１０にすでに備えているものを使用でき、別途準備する必要はない。
なお、上記説明は警察１１に連絡する場合でしたが，消防１２の場合も同様である。
【００１１】
上記の自動販売機１０には、地震などの警報装置も設置することができる。また、スピーカー３１，３２は防水装置付のものが好ましい。さらには自動販売機１０にデジタルカメラを内蔵しておき、いたずら通報した場合には、警察等がいたずら通報を確認後、このデジタルカメラで証拠写真を撮ることもできる。
【００１２】
上記のような本実施形態によれば次の長所がある。
自動販売機は、あらゆる場所に設置されているため、緊急通報システムを設置する場所を自由に選べることが特徴であるが、以下、設置場所とその効果について説明する。
（１）学校正門近くに設置することで、児童、生徒に対する誘拐等の犯罪の防止に効果を奏する。
（２）交番の前に設置することで、警察官の不在時でも緊急連絡ができる。
（３）ガソリンスタンドに設置することで、自動車事故等に迅速に対応できる。
（４）区役所等の官公庁等に設置することで、テロや変質者などの緊急時における通報ができる。
（５）駅構内に設置することで、スリ、暴行、痴漢等の混雑時に頻発する犯罪の通報ができる。
（６）コンビニ等の小売り店に設置することで、万引きやスリ等の犯罪の予防となり、さらには強盗等に対してもスピーデイに緊急連絡ができる。
（７）通常の道路あるいは住宅街に設置する事により、ストーカーや痴漢等の変質者に対する地域の防犯にすばやく対応できる。
（８）マンション等の集合住宅の出入口等に設置することにより、住人が緊急連絡対応がしやすくなり、安心感も生まれる。
（９）交差点の近傍に設置することで、交通事故等の緊急通報を第三者がすばやく行える。
（１０）パチンコの景品交換所の近くに設置することで、防犯の役に立てる。
【００１３】
【発明の効果】
上記の構成、作用を有する本発明は以下の効果を奏する。
すでに全国的にあらゆる場所に配置されている自動販売機を利用するため、新たな設備を設けることなく、少ない費用かつ短い工期で緊急通報システムが、全国的に構築できる。また、自動販売機は、我々の日常生活に溶け込んでいるためその設置場所は良く知られているうえに２４時間稼動しているから、迅速確実な緊急通報が可能となる。
さらには警察等と直接かつ双方向に会話ができるため、より正確な通報が可能になる等の効果を有する。
【図面の簡単な説明】
【図１】本発明の一実施形態を示す自動販売機の正面図
【図２】本発明の一実施形態を示す緊急通報システムを説明するブロック図
【符号の説明】
１０　自動販売機
１１　警察
１２　消防
２１、２２　通報ボタン（通報手段）
３１、３２　スピーカー（会話手段）
５０，５１，５２　通信手段
５３，５４　パテライト
【図１】
2004094538.tif 000003
【図２】
2004094538.tif 000004